【事件の表示】
　特許第２５５９０１５号「遊技機」の特許に対する特許異業の申立てについて、次のとおり決定する。
【結論】
　訂正を認める。
　特許第２５５９０１５号の特許を維持する。
【理由】
Ｉ．手続きの経緯
　本件特許第２５５９０１５号の特許請求の範囲の請求項１に係る発明の出願は、平成５年１１月２２日に出願され、平成８年９月５日にその特許の設定登録がなされ、その後、その特許について野木榮子より特許異議の申立てがなされ、取消理由が通知され、その指定期間内である平成１０年９月２日に訂正請求（後日取下げ）がなされた後、訂正拒絶理由を兼ねる取消理由通知がなされ、その指定期間内である平成１１年３月４日に訂正請求がなされ、さらに訂正拒絶理由が通知され、その指定期間内の平成１１年１１月１９日に手続補正書が提出されたものである。
ＩＩ．手続補正の適否について
　１．補正の内容
　特許権が求めている補正の内容は、次の（１）〜（２）のとおりである。
　（１）訂正明細書の特許請求の範囲の【請求項１】「略長方形の本体枠と該本体枠の内側に配される略矩形の遊技盤と発射装置に供給するための遊技球を貯留する上受け皿とを備え、該遊技盤の前面側に形成された遊技領域に発射された遊技球の挙動により所定の入賞状態が発生した際に設定数の遊技球を賞球として排出する遊技機において、
　前記上受け皿とは別体で前記本体枠および遊技盤を含む本体側に開閉自在に軸支され閉鎖された際には前記遊技盤の前面に配置され且つ該遊技機の前記上受け皿よりも上方の前面部分の全域を覆う前面枠と該前面枠に装着されてガラス板を保持するガラス枠とを含み、前記本体側に揺動可能に対向する前面枠側が、前記遊技領域の内外を仕切る境界に沿う形状の内縁を持ち前記遊技盤の少なくとも上隅を覆う上隅被覆部をも含んでいることを特徴とする遊技機。」を、
　「略長方形の本体枠と該本体枠の内側に配される略矩形の遊技盤と発射装置に供給するための遊技球を貯留する上受け皿とを備え、該遊技盤の前面側に形成された遊技領域に発射された遊技球の挙動により所定の入賞状態が発生した際に設定数の遊技球を賞球として排出する遊技機において、
　前記本体枠および遊技盤を含む本体側に揺動可能に対向する前面枠側に、前記上受け皿とは別体で前記本体枠および遊技盤を含む本体側に開閉自在に軸支され、閉鎖された際には前記遊技盤の前面に配置され且つ該遊技機の前記上受け皿よりも上方の前面部分の全域を覆う前面枠と、該前面枠に装着されてガラス板を保持するガラス枠と、前記遊技領域の内外を仕切る境界に沿う形状の内縁を持ち、前記前面枠と共に前記本体側に対して開閉され、前記前面枠の閉鎖時には前記遊技盤の少なくとも上隅を覆う上隅被覆部とを備えたことを特徴とする遊技機。」と補正する。
　（２）訂正明細書の段落番号【０００３】中の「前記上受け皿とは別体で前記本体枠および遊技盤を含む本体側に開閉自在に軸支され閉鎖された際には前記遊技盤の前面に配置され且つ該遊技機の前記上受け皿よりも上方の前面部分の全域を覆う前面枠と該前面枠に装着されてガラス板を保持するガラス枠とを含み、前記本体側に揺動可能に対向する前面枠側が、前記遊技領域の内外を仕切る境界に沿う形状の内縁を持ち前記遊技盤の少なくとも上隅を覆う上隅被覆部をも含んでいる。」を、
　「前記本体枠および遊技盤を含む本体側に揺動可能に対向する前面枠側に、前記上受け皿とは別体で前記本体枠および遊技盤を含む本体側に開閉自在に軸支され、閉鎖された際には前記遊技盤の前面に配置され且つ該遊技機の前記上受け皿よりも上方の前面部分の全域を覆う前面枠と、該前面枠に装着されてガラス板を保持するガラス枠と、前記遊技領域の内外を仕切る境界に沿う形状の内縁を持ち、前記前面枠と共に前記本体側に対して開閉され、前記前面枠の閉鎖時には前記遊技盤の少なくとも上隅を覆う上隅被覆部とを備えた。」と補正する。
　１．補正の適否
　（１）前記１．の（１）の補正は、特許請求の範囲の「前記本体側に揺動可能に対向する前面枠側が、」を、「前記本体枠および遊技盤を含む本体側に揺動可能に対向する前面枠側に、」と前面枠の構成を限定するものであり、また「・・・ガラス枠とを含み、・・・前記遊技領域の内外を仕切る境界に沿う形状の内縁を持ち前記遊技盤の少なくとも上隅を覆う上隅被覆部をも含んでること」を、「・・・ガラス枠と、前記遊技領域の内外を仕切る境界に沿う形状の内縁を持ち、前記前面枠と共に前記本体側に対して開閉され、前記前面枠の閉鎖時には前記遊技盤の少なくとも上隅を覆う上隅被覆部と備えたこと」と構成要件と構成要件との間に句読点を入れ、上隅被覆部の構成を限定したものであり、いずれも特許請求の範囲の減縮に相当する。
　（２）前記１．の（２）の補正は、特許請求の範囲の補正に伴って、それとの整合を図るために、発明の詳細な説明を補正したもので、明りようでない記載の釈明に相当する。
　そして、これらの補正は、願書に添付した明細書又は図面に記載された事項の範囲内の補正であり、また実質上特許請求の範囲を拡張し、又は変更するものではない。
　以上のとおりであるから、これら訂正請求に対する補正は、訂正請求書の要旨を変更するものでなく、特許法第１２０条の４第３項において準用する同法第１３１条第２項の規定に適合するので、採用する。
ＩＩＩ．訂正の適否についての判断
　１．訂正の内容
　前記補正の採用により、特許権者が求めている訂正の内容は、次の（１）〜（２）とおりである。
　（１）訂正事項ａ
　特許明細書（特許査定時の明細書）の特許請求の範囲の【請求項１】の「略長方形の本体枠と該本体枠の内側に配される略矩形の遊技盤とを備え、該遊技盤の前面側に形成された遊技領域に発射された遊技球の挙動により所定の入賞状態が発生した際に設定数の遊技球を賞球として排出する遊技機において、
　前記本体枠および遊技盤を含む本体側に開閉自在に軸支され閉鎖された際には前記遊技盤の前面に配置される前面枠と該前面枠に装着されてガラス板を保持するガラス枠とを含み、前記本体側に揺動可能に対向する前面枠側が、前記遊技領域の内外を仕切る境界に沿う形状の内縁を持ち前記遊技盤の少なくとも上隅を覆う上隅被覆部とをも含んでいることを特徴とする遊技機。」を、
　「略長方形の本体枠と該本体枠の内側に配される略矩形の遊技盤と発射装置に供給するための遊技球を貯留する上受け皿とを備え、該遊技盤の前面側に形成された遊技領域に発射された遊技球の挙動により所定の入賞状態が発生した際に設定数の遊技球を賞球として排出する遊技機において、
　前記本体枠および遊技盤を含む本体側に揺動可能に対向する前面枠側に、前記上受け皿とは別体で前記本体枠および遊技盤を含む本体側に開閉自在に軸支され、閉鎖された際には前記遊技盤の前面に配置され且つ該遊技機の前記上受け皿よりも上方の前面部分の全域を覆う前面枠と、該前面枠に装着されてガラス板を保持するガラス枠と、前記遊技領域の内外を仕切る境界に沿う形状の内縁を持ち、前記前面枠と共に前記本体側に対して開閉され、前記前面枠の閉鎖時には前記遊技盤の少なくとも上隅を覆う上隅被覆部とを備えたことを特徴とする遊技機。」と訂正する。
　（２）訂正事項ｂ
　特許明細書の段落【０００３】の記載中の「・・・遊技盤とを備え、・・・前記本体枠および遊技盤を含む本体側に開閉自在に軸支され閉鎖された際には前記遊技盤の前面に配置される前面枠と該前面枠に装着されてガラス板を保持するガラス枠とを含み、本体側に揺動可能に対向する前面枠側が、前記遊技領域の内外を仕切る境界に沿う形状の内縁を持ち前記遊技盤の少なくとも上隅を覆う上隅被覆部とを含んでいる。」を、
　「・・・遊技盤と発射装置に供給するための遊技球を貯留する上受け皿とを備え、・・・前記本体枠および遊技盤を含む本体側に揺動可能に対向する前面枠側に、前記上受け皿とは別体で前記本体枠および遊技盤を含む本体側に開閉自在に軸支され、閉鎖された際には前記遊技盤の前面に配置され且つ該遊技機の前記上受け皿よりも上方の前面部分の全域を覆う前面枠と、該前面枠に装着されてガラス板を保持するガラス枠と、前記遊技領域の内外を仕切る境界に沿う形状の内縁を持ち、前記前面枠と共に前記本体側に対して開閉され、前記前面枠の閉鎖時には前記遊技盤の少なくとも上隅を覆う上隅被覆部とを備えた。」と訂正する。
２，訂正の目的の適否、新規事項の有無及び拡張・変更の存否
　（１）前記１．の（１）の訂正は、特許明細書の特許請求の範囲の請求項１の「遊技盤を備え、」を、「遊技盤と発射装置に供給するための遊技球を貯留する上受け皿とを備え、」と構成を限定したもので、特許請求の範囲の減縮に相当する。また、同請求項１の「前記本体側に揺動可能に対向する前面枠側が、」を、「前記本体枠および遊技盤を含む本体側に揺動可能に対向する前面枠側に、」と、前面枠の構成を限定するとともに構成要件を入れ換えたもので、特許請求の範囲の減縮及び明りようでない記載の釈明に相当する。さらに、同請求項１の「前記本体枠および遊技盤を含む本体側に開閉自在に軸支され閉鎖された際には前記遊技盤の前面には配置される前面枠と該前面枠に装着されてガラス板を保持するガラス枠とを含み、・・・前記遊技領域の内外を仕切る境界に沿う形状の内縁を持ち前記遊技盤の少なくとも上隅を覆う上隅被覆部をも含んでること」を、「前記上受け皿とは別体で前記本体枠および遊技盤を含む本体側に開閉自在に軸支され閉鎖された際には前記遊技盤の前面に配置され且つ該遊技機の前記受け皿よりも上方の前面部分の全域を覆う前面枠」と前面枠の構成を限定したので、特許請求の範囲の減縮に相当する。そして、これらの訂正は、願書に添付した明細書又は図面に記載されている事項の範囲内の訂正であり、また、実質上特許請求の範囲を拡張し、又変更するものではない。
　（２）前記１．の（２）の訂正は、特許請求の範囲の訂正に伴って、それとの整合を図るために、発明の詳細な説明を訂正したもので、明りようでない記載の釈明に相当する。そして、これらの訂正は、願書に添付した明細書又は図面に記載されている事項の範囲内の訂正であり、また、実質上特許請求の範囲を拡張し、又は変更するものではない。
　３．独立特許要件の判断
　補正された訂正明細書の特許請求の範囲の請求項１に記載された事項に特定される発明は、後述のＩＩＩ．の４の対比・判断で検討するように、特許出願の際独立して特許を受けることができるものである。
　４．むすび
　以上のとおりであるから、上記訂正は、特許法等の一部を改正する法律（平成６年法律第１１６号）付則第６条第１項の規定によりなお従前の例によるとされる、特許法第１２０条の４第２項及び同条第３項で準用する平成６年改正前同法第１２６条第１〜３項の規定に適合するので、当該訂正を認める。
ＩＩＩ．特許異議申立てについて
　１．本件発明
　本件特許第２５５９０１５号の請求項１に係る発明は、補正された訂正明細書の特許請求の範囲の請求項１に記載された事項により特定された次にとおりのもの（以下、「本件発明」という。）である。
　「略長方形の本体枠と該本体枠の内側に配される略矩形の遊技盤と発射装置に供給するための遊技球を貯留する上受け皿とを備え、該遊技盤の前面側に形成された遊技領域に発射された遊技球の挙動により所定の入賞状態が発生した際に設定数の遊技球を賞球として排出する遊技機において、
　前記本体枠および遊技盤を含む本体側に揺動可能に対向する前面枠側に、
　前記上受け皿とは別体で前記本体枠および遊技盤を含む本体側に開閉自在に軸支され、閉鎖された際には前記遊技盤の前面に配置され且つ該遊技機の前記上受け皿よりも上方の前面部分の全域を覆う前面枠と、該前面枠に装着されてガラス板を保持するガラス枠と、前記遊技領域の内外を仕切る境界に沿う形状の内縁を持ち、前記前面枠と共に前記本体側に対して開閉され、前記前面枠の閉鎖時には前記遊技盤の少なくとも上隅を覆う上隅被覆部とを備えたことを特徴とする遊技機。」
　２．特許異議申立ての理由の概要
　特許異議申立人野木榮子は、証拠として、
　（１）甲第１号証（実公平３−４２９９号公報）
　（２）甲第２号証（実公昭５２−５０８７０号公報）
　を提出して、
　本件特許の請求項１に係る発明は、甲第１号証に記載された発明と同一、また甲第１号証あるいは甲第２号証に記載された発明に基づいて容易に発明をすることができたものであるから、特許法第２９条第１項第３号、または同法第２９条第２項の規定に該当し、本件発明は同法第１１３条第１項第２号の規定により取り消されるべきものである、と主張している。
３．引用例の記載事項
　当審で訂正拒絶理由を兼ねる取消理由通知として引用した特願平４−３６０９７１号（出願日、平成４年１２月２８日、（特開平６−１９８０５３号公報参照）（先願明細書、以下「引用例１」という。）には、「略長方形の外枠Ａ（本件発明の「本体枠」に相当する）と該外枠の内側に配される略矩形の遊技盤と打球発射装置Ｈ（「発射装置」）に供給するための遊技球を貯留する上の球受け皿Ｆ（「上受け皿」）とを備え、該遊技盤の前面側に形成された遊技領域に発射された遊技球の挙動により所定の入賞状態が発生した際に設定数の遊技球を賞球として排出する遊技機において、
　前記外枠および遊技盤を含む本体側に揺動可能に対向する前枠Ｂ（「前面枠」）側に、前記外枠および遊技盤を含む本体側に開閉自在に軸支され、閉鎖された際には前記遊技盤の前面に配置され且つ該遊技機の前面部分の全域を覆う前面枠と、該前面枠に装着されてガラス板を保持する透視窓扉Ｃ（「ガラス枠」）と、前記遊技領域の内外を仕切る境界に沿う形状の透視口５６（「内縁」）を持ち、前記前面枠と共に前記本体側に対して開閉され、前記前面枠の閉鎖時には前記遊技盤の少なくとも透視口の周囲の所定箇所に構成したそれぞれの保持部に電光表示具６８（「上隅を覆う上隅被覆部」）とを備えたことを特徴とする遊技機。」が開示されている。
　甲第１号証（実公平３−４２９９号公報、以下「引用例２」という。）には、「中央部に窓１９を開設し前傾斜に傾けた前面板５の周縁から後方に枠板を延出して筐形に形成してなる装着枠本体３の上記窓に外カラス板を嵌付け開口を塞ぐと共に、この外ガラス板の背後に所要奥行き幅を有し、且つ窓の開口形状に適合した飾り枠１８を固定し、この飾り枠１８を介して内ガラス板１６を固定せしめ、上記外ガラス板１７に対設せしめせしめる一方、前記板の周縁部には適宜表示ランプ２４を配置してなるパチンコ機におけるガラス板装着枠。」が開示されている。
　甲第２号証（実公昭５２−５０８７０号公報、以下「引用例３」という。）には、「上側内縁部４を半円弧状に形成し、左右側および下側を有する形状構成のガラス嵌め込み用窓孔を形成し、かつ左右側および下側内縁部にそれぞれ略平行するガラス嵌め込み用溝２を一体形成し、さらに幅広くなした上部両側部に遊技盤の前面上部に装着されたランプと対応する位置に照射孔を穿設してランプ飾り具７を装着した上部前面壁５と、手動皿６等を装着してなる下部前面壁３とを一体形成したことを特徴とするパチンコ機用ガラス金枠。」が開示されている。
　４．対比・判断
　（１）引用例１（先願明細書）との同一性について
　本件発明と先願明細書記載発明とを対比するに、両者は、ほとんどの構成において一致するが、先願明細書記載の発明には、上の受け皿Ｆ（上受け皿）が前枠の一部になっているので、「前記上受け皿とは別体で前記本体枠および遊技盤を含む本体側に開閉自在に軸支され閉鎖された際には前記遊技盤の前面に配置され且つ該遊技機の前記上受け皿よりも上方の前面部分の全域を覆う」という構成を有していない。
　しかし、仮に、前面枠が上皿と別体であることが周知技術であったとしても、前記先願明細書記載には、前記周知技術との具体的な関連が何ら記載されていないので、本件発明は、前記先願明細書に記載された発明と、同一発明であるということはできない。
　（２）新規性及び進歩性について
　本件発明と引用例２、３記載の発明と対比するに、引用例２、３記載の発明には、本件発明の構成の一部である「前記上受け皿とは別体で前記本体枠および遊技盤を含む本体側に開閉自在に軸支され、閉鎖された際には前記遊技盤の前面に配置され且つ該遊技機の前記上受け皿よりも上方の前面部分の全域を覆う前面枠」についての記載がなく、また、それを示唆する記載がない。したがって、本件発明は、引用例２、３記載された発明と同一とも、また、引用例２、３に記載された発明から当業者が容易に発明をすることができたものは認められない。
ＩＶ．むすび
　以上のとおりであるから、特許異議申立ての理由及び証拠によっては本件の特許請求の範囲の請求項１に係る発明の特許を取り消すべき理由を発見しない。
　また、他に本件の特許請求の範囲の請求項１に係る発明の特許を取り消すべき理由を発見しない。
　よって、結論のとおり決定する。
【異議決定日】
平成１１年１２月２４日（１９９９．１２．２４）
【訂正の要旨】
（３）訂正の要旨
　▲１▼訂正事項ａ
　特許請求の範囲の請求項１の記載中、「遊技盤とを備え、」を、特許請求の範囲の減縮を目的として、「遊技盤と発射装置に供給するための遊技球を貯留する上受け皿とを備え、」に訂正する。
　これに伴って、特許請求の範囲の記載と発明の詳細な説明の記載との整合を図るため、段落０００３の記載中の「遊技盤とを備え、」を「遊技盤と発射装置に供給するための遊技球を貯留する上受け皿とを備え、」に訂正する。
　▲２▼訂正事項ｂ
　まず、特許請求の範囲の請求項１の記載中、「前記本体枠および遊技盤を含む本体側に開閉自在に軸支され閉鎖された際には前記遊技盤の前面に配置される前面枠」を、特許請求の範囲の減縮を目的として、「前記上受け皿とは別体で前記本体枠および遊技盤を含む本体側に開閉自在に軸支され、閉鎖された際には前記遊技盤の前面に配置され且つ該遊技機の前記上受け皿よりも上方の前面部分の全域を覆う前面枠」に訂正する。
　次に、特許請求の範囲の請求項１の記載中、「遊技機において、」に続く記載を、不明瞭な記載の釈明を目的として、
「前記本体枠および遊技盤を含む本体側に揺動可能に対向する前面枠側に、
　前記上受け皿とは別体で前記本体枠および遊技盤を含む本体側に開閉自在に軸支され、閉鎖された際には前記遊技盤の前面に配置され且つ該遊技機の前記上受け皿よりも上方の前面部分の全域を覆う前面枠と、
　該前面枠に装着されてガラス板を保持するガラス枠と、
　前記遊技領域の内外を仕切る境界に沿う形状の内縁を持ち、前記前面枠と共に前記本体側に対して開閉され、前記前面枠の閉鎖時には前記遊技盤の少なくとも上隅を覆う上隅被覆部と
を備えたことを特徴とする遊技機。」と訂正する。
　これに伴って、特許請求の範囲の記載と発明の詳細な説明の記載との整合を図るため、段落０００３の記載中の
「前記本体枠および遊技盤を含む本体側に開閉自在に軸支され閉鎖された際には前記遊技盤の前面に配置される前面枠と該前面枠に装着されてガラス板を保持するガラス枠とを含み、前記本体側に揺動可能に対向する前面枠側が、前記遊技領域の内外を仕切る境界に沿う形状の内縁を持ち前記遊技盤の少なくとも上隅を覆う上隅被覆部をも含んでいる。」を
「前記本体枠および遊技盤を含む本体側に揺動可能に対向する前面枠側に、前記上受け皿とは別体で前記本体枠および遊技盤を含む本体側に開閉自在に軸支され、閉鎖された際には前記遊技盤の前面に配置され且つ該遊技機の前記上受け皿よりも上方の前面部分の全域を覆う前面枠と、該前面枠に装着されてガラス板を保持するガラス枠と、前記遊技領域の内外を仕切る境界に沿う形状の内縁を持ち、前記前面枠と共に前記本体側に対して開閉され、前記前面枠の閉鎖時には前記遊技盤の少なくとも上隅を覆う上隅被覆部とを備えた。」に訂正する。
（５４）【発明の名称】
遊技機
（５７）【特許請求の範囲】
　【請求項１】　略長方形の本体枠と該本体枠の内側に配される略矩形の
遊技盤と発射装置に供給するための遊技球を貯留する上受け皿とを備え、
　
前記本体枠および遊技盤を含む本体側に揺動可能に対向する前面枠側に、
　
前記上受け皿とは別体で前記本体枠および遊技盤を含む本体側に開閉自在に軸支され、閉鎖された際には前記遊技盤の前面に配置され且つ該遊技機の前記上受け皿よりも上方の前面部分の全域を覆う全面枠と、
　
該前面枠に装着されてガラス板を保持するガラス枠と、
　
前記遊技領域の内外を仕切る境界に沿う形状の内縁を持ち、前記前面枠と共に前記本体側に対して開閉され、前記前面枠の閉鎖時には前記遊技盤の少なくとも上隅を覆う上隅被覆部と
を備えたことを特徴とする遊技機。
【発明の詳細な説明】
　【０００１】
　【産業上の利用分野】
　本発明は、パチンコ機等、遊技球の入賞に応じて賞球を機外に排出する遊技機に関する。
　【０００２】
　【発明の背景と発明の概要】
　従来、例えばパチンコ機やアレンジボール式遊技機（アレパチ）等の鋼製の遊技球を使用する遊技機は、ほぼ矩形の遊技盤を備えており、これも矩形のガラス枠を透して遊技盤を望ませていた。また、遊技球が遊動、落下する遊技領域はほぼ円形であった。つまり、遊技者には、遊技領域外になる遊技盤の隅部分も見えていた。このような隅部分は、遊技自体には関係ない領域であることから、ランプ類を装着したり装飾部品を取り付けたりしていた。
　【０００３】
　請求項１記載の遊技機は、略長方形の本体枠と該本体枠の内側に配される略矩形の
遊技盤と発射装置に供給するための遊技球を貯留する上受け皿とを備え、
前記本体枠および遊技盤を含む本体側に揺動可能に対向する前面枠側に、前記上受け皿とは別体で前記本体枠および遊技盤を含む本体側に開閉自在に軸支され、閉鎖された際には前記遊技盤の前面に配置され且つ該遊技機の前記上受け皿よりも上方の前面部分の全域を覆う前面枠と、該前面枠に装着されてガラス板を保持するガラス枠と、前記遊技領域の内外を仕切る境界に沿う形状の内縁を持ち、前記前面枠と共に前記本体側に対して開閉され、前記前面枠の閉鎖時には前記遊技盤の少なくとも上隅を覆う上隅被覆部とを備えた。
　【０００４】
　さらに、この遊技機は上隅被覆部をはじめから備えており、そのため、上隅被覆部は、製造時に遊技機の外観との調和を取ることができるから、たとえば遊技店に設置後に後付けする場合と比べて装飾効果は高く、取り付けのための特別な手間はいらない。
　【０００５】
　【実施例】
　次に、本発明の好適な一実施例を説明する。
　図１は本発明の遊技機としてのパチンコ機１０の正面図であり、周知の遊技盤１２を備えている。遊技盤１２の前面側は、装飾部１３ａを備えるほぼ全体がプラスチック製のガラス枠１３を介してほぼ全体がプラスチック製の前面枠１４に装着された二重のガラス１６ａ、１６ｂで覆われており、遊技盤１２と内側のガラス１６ａおよび装飾部１３ａとの間に遊技領域１８が形成されている。前面枠１４の上部にはいわゆる大当り状態が発生した際に点灯する大当りランプ２０が組み付けられている。また、前面枠１４は、右側部２２に設けられた錠２４を操作することにより、左側部２６の裏面側に装着されている迫出しヒンジ１７６ａ、１７６ｂ（詳細は後述）を軸として開閉可能である。
　【０００６】
　前面枠１４の下方には、プラスチック製で、上受け皿２８および下受け皿３０が一体的に設けられた皿部材３２が配されている。上受け皿２８および下受け皿３０には、それぞれにパチンコ機１０内部からの遊技球を排出するための上皿排出口３４および下皿排出口３６が開口している。また、皿部材３２には複数の小孔からなるスピーカ面３８が設けられており、スピーカ面３８の裏側には遊技状態に応じて音声を発するスピーカ（図示略）が装着されている。さらに皿部材３２には、上受け皿２８から供給される遊技球を遊技領域１８に発射するためのモータ（図示略）を操作する発射ハンドル４０および遊技球の発射を一時的に停止するためのストップスイッチ４２が設置されている。さらに皿部材３２の下方には、裾板４３が設置されている。
　【０００７】
　この皿部材３２は左裏側に装着された迫出しヒンジ１７６ｃ、１７６ｄ（詳細は後述）を軸として開閉可能であるが、通常の使用時には右裏側にてロックされて閉状態に保持されている。また通常の使用時には、皿部材３２は前面枠１４によって上辺部分を押さえられ開放を防止されている。したがって、皿部材３２を開くには、前面枠１４を開放し右裏側のロックを解除する必要がある。
　【０００８】
　図２に示すようにパチンコ機１０の裏面側には、パチンコ機１０の各部材を支持すると共に遊技機設置島（以下、単に島という）に装着するための部材でもあるプラスチック製の本体枠４４が配されており、上述の前面枠１４および皿部材３２は迫出しヒンジ１７６ａ、１７６ｂ、１７６ｃ、１７６ｄ（迫出しヒンジ１７６ｃは図２には示さない）を介して本体枠４４と連結されている。この本体枠４４には、遊技盤１２を支承する裏盤４８が組み付けられている。
　【０００９】
　図２、図３および図４に示すように、裏盤４８は中央部に略５角形状の窓４８ａを備える略長方形で、裏盤４８の上端部には島の上部に設置された球供給路（図示略）から供給される遊技球を貯留するプラスチック製の賞球タンク５０が設置されている。賞球タンク５０には、中央やや左寄りに遊技球の荷重の有無によって遊技球の有無を検知する荷重センサ５２が設置されており、賞球タンク５０の下部には遊技球が流出可能な賞球流出口５４が設けられている。賞球流出口５４は、遊技球を整列させながら流下させる透明プラスチック製の賞球誘導樋５６を介して、賞球払出装置５８に接続されている。また賞球誘導樋５６の中間部には荷重センサ６０ａ、６０ｂが設置されており、遊技球の誘導状況を検出可能である。
　【００１０】
　賞球払出装置５８は、例えば特開平５−４２２４８号公報に記載されているように、ステッピングモータ（図示略）にて駆動されるフライトスクリュ（図示略）を備え、ステッピングモータの回転に応じて賞球誘導樋５６から遊技球を導入し排出口６２から排出する。
　【００１１】
　さらに、図２および図３に示すように、賞球誘導樋５６には、遊技球を整列させるための整列板５９が内挿されており、賞球払出装置５８の上方には、賞球タンク５０に隣接してヒューズボックス６１が設置されている。
　図２、図３および図４に示すように、賞球払出装置５８の排出口６２の下方には、賞球払出装置５８から排出される遊技球を導く賞球導入樋６４を備えるプラスチック製の賞球受部材６６が接続されている。この賞球受部材６６の内部には、遊技球の落下速度を規制するための屈曲部（図示略）が設けられており、賞球導入樋６４を経て落下した遊技球は屈曲部で落下速度を調節されて落下口６８から排出される。
　【００１２】
　図３に示すように、この落下口６８は、裏盤４８に設けられている壁状の樋部７０と透明プラスチック製のカバー部材７２とで形成される賞球樋７４に連通している。この賞球樋７４は下部中央に縦壁７６を備える箱状の賞球振り分け機構７８に連通している。
　【００１３】
　図３および図６に示すように、賞球振り分け機構７８は、賞球として排出される遊技球を上受け皿２８と下受け皿３０とに振り分けて排出するため機構で、上受け皿２８へ連通する上皿導入口８０および下受け皿３０に連通する下皿導入口８２とが、縦壁７６を介して互いに隣接して開口している。また上皿導入口８０の底部および側壁部は、落下する遊技球の衝撃からこれらを保護するための金属製のカバー８４で被覆されている。この構成により、賞球樋７４から落下した遊技球は、通常は縦壁７６によって上皿導入口８０側から下皿導入口８２側への水平方向の移動を阻まれて上受け皿２８へと導かれることになる。ところが、入賞の連続等があり上受け皿２８に多量の遊技球が蓄積されると上皿導入口８０付近まで遊技球によって満たされて、上皿導入口８０へ遊技球が進入できなくなることがある。このような状態で賞球樋７４から排出された遊技球は、上皿導入口８０付近に滞留する遊技球によって通路を遮られるので、縦壁７６の上方の空間を通過して下皿導入口８２側へ溢流し、下受け皿３０へと導かれることになる。したがって、上受け皿２８への遊技球の受け入れに余裕があるにもかかわらず、賞球としての遊技球が下受け皿３０へと排出されることは回避される。
　【００１４】
　また図３に示すように、賞球樋７４には、図示しないソレノイドで駆動されるダンパ８６介して玉抜樋８８が接続されている。この玉抜樋８８は、例えばパチンコ機１０を島から撤去する場合等に、賞球タンク５０、賞球誘導樋５６等に貯留されている遊技球を機外へ排出するための経路であり、玉抜スイッチ（図示略）をオンするとダンパ８６が駆動されて、賞球樋７４と賞球振り分け機構７８との連通を遮断すると共に賞球樋７４と玉抜樋８８とを連通させる。併せて賞球払出装置５８が稼動して賞球タンク５０からの遊技球を排出する。排出された遊技球は賞球導入樋６４、賞球受部材６６、賞球樋７４および玉抜樋８８を経て機外へ排出される。
　【００１５】
　従来の遊技機においては、賞球払出装置の上流側に設置されたダンパを操作ピンによって機械的に操作して玉抜き作業を実施する構成であったため、ダンパ操作のために操作ピンを挿通させる操作穴をダンパ近傍に設ける必要があった。このためダンパの設置位置や操作穴の設置位置の自由度は低く、遊技機全体の構成を制限することもあった。
　【００１６】
　ところが本実施例のパチンコ機１０では、上述のようにダンパ８６および賞球払出装置５８が電気的に操作されるので、ダンパ８６や玉抜スイッチの設置位置は事実上制限されず、機構配置上の自由度が高まっている。
　賞球振り分け機構７８に隣接して、遊技盤１２から入賞球を集中して導く入賞球集合樋９０が設置されている。この入賞球集合樋９０には入賞した遊技球を入口９２から導入し、１球毎に賞球通過信号を出力して出口９４から排出する入賞球排出装置９６が設置されている。この賞球通過信号は、例えば賞球払出装置５８のステッピングモータを稼動させるための信号として使用される。
　【００１７】
　入賞球排出装置９６の出口９４には入賞球排出装置９６から排出された遊技球の通路としての入賞球排出樋９８が設けられている。また入賞球排出装置９６の左方には、遊技盤１２の下部に開口するアウト穴（図示略）に接続されているアウト球排出樋１００が設置されている。図示のように、入賞球排出樋９８とアウト球排出樋１００とは合流して合流樋１０２に接続されており、この合流樋１０２には玉抜樋８８も合流している。さらに合流樋１０２の出口１０２ａには島に設置されている回収路（図示略）が接続されている。
　【００１８】
　こうした構成により、パチンコ機１０が稼動しているとき（遊技中）には、入賞球は入賞球排出装置９６および入賞球排出樋９８を経て合流樋１０２に導かれ、アウト球はアウト球排出樋１００を経て合流樋１０２に導かれ、いずれも回収路へと排出される。また上述した玉抜き作業の実施に当たって玉抜樋８８へと導かれた遊技球は、合流樋１０２を経て回収路へと排出される。
　【００１９】
　このように、入賞球、アウト球および玉抜き作業によって排出される遊技球のいずれもが、合流樋１０２から排出される。したがって、回収路は合流樋１０２の出口１０２ａのみに接続されればよく、パチンコ機１０と島との接続を簡略化できる。
　【００２０】
　また、裏盤４８の窓４８ａの下辺、賞球受部材６６と対向する側辺に沿った部分および上辺に沿って賞球誘導樋５６に覆われている部分には、各種の配線（図示略）を収納する配線ピット１０６が設けられている。この配線ピット１０６の側辺部１０６ａは、窓４８ａに揺動自在に設けられているピットカバー１０６ｂを矢印Ｋ方向に揺動させることで、閉鎖状態および開放状態とできる。図示は開放状態であるが、閉鎖状態とした際には、ピットカバー１０６ｂの３箇所に設けられている突起１０６ｃで配線ピット１０６の壁面との摩擦力によりピットカバー１０６ｂを閉鎖状態に保持できる。この裏盤４８に形成されている配線ピット１０６は、少なくとも３面（側辺部１０６ａは４面とも）が導電性プラスチック製となるので、この配線ピット１０６内に収容される電気配線は電磁的にシールドされることになる。したがって、これらの電気配線へのパチンコ機１０の内外からの電磁波の侵入は防止される。このため、例えば電気配線を介して侵入したノイズによって制御装置が誤作動する等の事故は防止できると共に電波発信機等を使用する不正行為に対する防御性能が向上する。
　【００２１】
　図２および図３に示すように、裏盤４８の窓４８ａの下方に端子板１０８が装着されており、端子板１０８と裏盤４８との間には端子板１０８に接続されている配線（図示略）を収容する配線ピット１０６の一部が形成されている。また端子板１０８の下方には副制御基盤１１０が装着されている。
　【００２２】
　図２、図３、図４、図５および図６に示すように、裏盤４８の下縁隅には、図５および図６に示される発射装置１１２のモータ１１２ａを収容するためのモータ収容室１１４が設けられている。またモータ収容室１１４に隣接して設けられている調節器収容室１１６には、図５および図６に示される調節器１１８が収容されている。この調節器１１８は、発射ハンドル４０とモータ１１２ａとの間に介装されており、発射ハンドル４０の操作に応じてモータ１１２ａに供給される電力等を調節するためのものである。
　【００２３】
　図２、図４および図５に示すように、裏盤４８の樋部７０と共に賞球樋７４を構成しているカバー部材７２には、カバー部材７２に設けられている一対の軸ピン１２０ａ、１２０ｂに回動可能に軸支されて、カバー部材７２の外面側を通過して副制御基盤１１０に接続される配線（図示略）を保護するための透明プラスチック製の配線カバー１２２が装着されている。
　【００２４】
　図２および図３に示すように、裏盤４８には、端子板１０８と副制御基盤１１０との間およびモータ収容室１１４に隣接する部分に、一対の軸ピン１２４ａ、１２４ｂが設けられている。
　図４、図５および図６に示すように、これらの軸ピン１２４ａ、１２４ｂには、主制御基盤１２６を保持する基盤保持部材１２８が軸支されている。主制御基盤１２６は、基盤保持部材１２８にビス止めされると共に基盤カバー１３０にて覆われている。また、基盤保持部材１２８の軸ピン１２４ａ、１２４ｂと対向する辺には一対の連結ピン１３２ａ、１３２ｂが取り付けられている。これら連結ピン１３２ａ、１３２ｂは、図２および図３に示されるカバー部材７２の一対の連結穴１３４ａ、１３４ｂと係合して、基盤保持部材１２８の回動を規制している。
　【００２５】
　図７に示すように、連結ピン１３２ａ、１３２ｂは先端側に設けられた割ピン部１３６ａ、後端に設けられたフランジ１３６ｂおよび割ピン部１３６ａとフランジ１３６ｂとの中間に設けられた嵌合部１３６ｃを備える筒体１３６と、この筒体１３６に進退可能に挿通された軸部１３８ａと軸部１３８ａに固着されたつまみ１３８ｂとを備えるピン体１３８とから構成されている。これらの連結ピン１３２ａ、１３２ｂは、筒体１３６の嵌合部１３６ｃを基盤保持部材１２８の嵌合穴１２８ａに嵌合させることで、基盤保持部材１２８に装着されている。
　【００２６】
　このような連結ピン１３２ａ、１３２ｂでは、ピン体１３８の軸部１３８ａを矢印Ｍ方向に沿って相対移動させると、筒体１３６の割ピン部１３６ａは外径を拡大する方向に弾性変形させられる。また軸部１３８ａを矢印Ｎ方向に沿って相対移動させると、割ピン部１３６ａは上記弾性変形を回復する方向に変形し外径が縮小される。このため、割ピン部１３６ａの外径を縮小状態としてこれをカバー部材７２の連結穴１３４ａ、１３４ｂに挿通させ（図８（ａ）参照、）、つまみ１３８ｂを押し込むようにして軸部１３８ａを矢印Ｍ方向に移動させれば、割ピン部１３６ａと連結穴１３４ａ、１３４ｂとが強固に嵌合された状態となる（図８（ｂ）参照）。また図８（ｂ）の状態から、つまみ１３８ｂを引っ張るようにして軸部１３８ａを矢印Ｎ方向に移動させれば、割ピン部１３６ａの外径は縮小されて、割ピン部１３６ａと連結穴１３４ａ、１３４ｂとは上述の嵌合状態から解放される。
　【００２７】
　したがって、このように割ピン部１３６ａと連結穴１３４ａ、１３４ｂとを嵌合状態とすれば、基盤保持部材１２８を連結ピン１３２ａ、１３２ｂでカバー部材７２に固定し、軸ピン１２４ａ、１２４ｂで裏盤４８に固定することになる。既に述べたようにカバー部材７２もまた裏盤４８に固定されているので、上記の場合、基盤保持部材１２８は裏盤４８に対して固定されることになる。一方、割ピン部１３６ａと連結穴１３４ａ、１３４ｂとの該嵌合を解除すれば、軸ピン１２４ａ、１２４ｂを軸として基盤保持部材１２８を裏盤４８に対して開閉、揺動させることができる。
　【００２８】
　なお図４に示すように、裏盤４８には賞球受部材６６に設けられている軸ピン１４０ａおよびカバー部材７２に設けられている軸ピン１４０ｂに軸支された遊技盤カバー１４２が装着されているが、この遊技盤カバー１４２も上記基盤保持部材１２８の連結ピン１３２ａ、１３２ｂと同様の連結ピン１４４を備えており、この連結ピン１４４を操作することによって裏盤４８に対して閉鎖、固定された状態および揺動可能な開放状態とできる。
　【００２９】
　パチンコ機１０から前面枠１４および皿部材３２を取り去った状態の正面図である図８に示すように、裏盤４８は、２個のヒンジ１４８、１４８を介して本体枠４４の第１側壁４４ａに軸支され、また図２および図８に示すように、一対の係止機構１５０、１５０を介して第２側壁４４ｂに係脱可能に係止されている。
　【００３０】
　図９に示すように、この係止機構１５０は、ピン１５２に軸支されて矢印Ｃに沿って揺動可能に裏盤４８に装着された係止部材１５４と本体枠４４の第２側壁４４ｂに固着された係止バー１５６とから構成されている。係止部材１５４には、係止バー１５６と係止可能な係止鈎１５４ａおよびハンドル１５４ｂとが設けられており、ハンドル１５４ｂを矢印Ｃに沿って揺動させることによって係止鈎１５４ａを係止バー１５６に係脱させることができ、この操作によって裏盤４８を本体枠４４に係止させ、その係止を解除できる。
　【００３１】
　図８に示すように、裏盤４８には４箇所の圧締機構１５８を介して遊技盤１２が保持されている。
　図１０に示すように、圧締機構１５８には一対の板状の突起１６０ａ、１６０ｂを備えた圧締部材１６０、半月状の横断面形状を有し圧締部材１６０を貫通する軸１６２および軸１６２を回転操作するノブ１６４が設けられている。圧締機構１５８は圧締部材１６０とノブ１６４との間の軸１６２を裏盤４８の軸穴１６６に回動自在に保持されており、圧締部材１６０は裏盤４８に形成された挿通部１６８に収容されている。このような構成により、ノブ１６４を介して圧締部材１６０を約９０度の範囲で回動させれば、遊技盤１２と裏盤４８の圧締縁部１７０とを密接、圧締状態（図１０（ａ）、（ｃ）参照）とし、この状態から解放（図１０（ｂ）、（ｄ）参照）することができる。
　【００３２】
　図８に示すように、裏盤４８に装着された遊技盤１２は、上述の圧締機構１５８によって水平方向の移動を規制され、裏盤４８のサポート部４８ｃによって支承されて重力方向の移動を規制されているが、圧縮機構１５８による圧締を解除すれば、遊技盤１２を図８における紙面垂直方向に移動させて裏盤４８から離脱させることができる。またこれと逆に作業すれば遊技盤１２を裏盤４８に装着できる。このように遊技盤１２の裏盤４８への着脱が裏盤４８の前面側から可能であり、しかも容易である。したがって、例えば遊技盤１２のみを新規な遊技盤と交換する作業は、きわめて容易となる。
　【００３３】
　このように、本体枠４４に保持される裏盤４８にて直接に遊技盤１２を支えるので、従来のパチンコ機等では本体枠に軸支されて遊技盤を保持すると共に発射ハンドル４０等を固定していた木製の前枠が不要となっている。また前枠に固定されて遊技盤を支承するプラスチック製の中枠も不要となっている。すなわち、本実施例の裏盤４８は、従来のプラスチック製のいわゆる裏パックと遊技盤を保持する前枠および中枠との機能を備えており、このように構成することで部品点数を削減できる。
　【００３４】
　この図８と図１とから明らかなように、前面枠１４を閉鎖位置とした際には、遊技盤１２の遊技領域１８の外側となる上下の四隅が装飾部１３ａによって覆われる。したがって、遊技者は、装飾部１３ａによって形成される円形の窓を透して遊技盤１２を見ることになる。つまり、遊技者は、遊技のために必要な遊技領域１８だけを見ることになる。よって、遊技盤１２の四隅すべてにおいて、ランプ類や装飾部品を装着する必要はなくなり、遊技盤に取り付けられる部品点数を削減できる。
　【００３５】
　図５、図６および図８に示すように、裏盤４８の下部には上述の発射装置１１２が装着されている。この発射装置１１２はモータ１１２ａにて駆動される打球槌１１２ｂにて、発射装置１１２の斜め上方に配されている発射レール１７１の後端部１７１ａに置かれた遊技球を打撃することで、遊技球を発射することができる。発射された遊技球は、発射レール１７１を経て、遊技盤１２に固着されているガイドレール１７２に沿って誘導されて遊技領域１８へ放出される。なお、発射レール１７１とガイドレール１７２との間には、例えば打球槌１１２ｂによる付勢が不足して、遊技領域１８に到達できなかった遊技球を回収して下受け皿３０へと導くためのファール球誘導路１７４が設けられている。
　【００３６】
　本体枠４４の第１側壁４４ａの内面側には、４箇所の迫出しヒンジ１７６ａ、１７６ｂ、１７６ｃ、１７６ｄが設置されており、迫出しヒンジ１７６ａ、１７６ｂには前面枠１４が取り付けられ、迫出しヒンジ１７６ｃ、１７６ｄには皿部材３２が取り付けられている。
　【００３７】
　図１１および図１２に示すように、迫出しヒンジ１７６ａ〜１７６ｄは、固定部材１７８を介して第１側壁４４ａに固定されている。この固定部材１７８には、ピン１８０を中心として揺動自在に板状片１８２が連結され、ピン１８４を中心として揺動自在に三角片１８６が連結されている。また板状片１８２の他端はピン１８８を介して相互に揺動自在にＬ字板１９０の後端部に連結されており、三角片１８６の中央頂点部はピン１９２を介して相互に揺動自在にＬ字板１９０の中央部に連結されている。このＬ字板１９０の先端側は略コの字状となっており、その突端は、前面枠１４（皿部材３２）に固着された凹部材１９４に、ピン１９６を介して相互に揺動自在に連結されている。さらに、この凹部材１９４に、ピン１９８を介して連結されたＳ字片２００の他端は、ピン２０２を介して三角片１８６に連結されている。
　【００３８】
　このような迫出しヒンジ１７６ａ〜１７６ｄでは、閉鎖状態（図１１参照）から開放状態（図１２参照）へ移行する際には、Ｌ字板１９０およびＳ字片２００が矢印Ｅ方向に沿って引き出されるように変位する。しかし、三角片１８６の中央付近に連結されているＬ字板１９０の変位量よりも三角片１８６の先端部に連結されているＳ字片２００の変位量が大きくなるので、前面枠１４（皿部材３２）は矢印Ｅ方向に沿って迫出すと共に矢印Ｆ方向に沿って揺動することになる。このように、前面枠１４（皿部材３２）は本体枠４４から離脱しつつ扇形に移動するので、開放状態では前面枠１４（皿部材３２）と本体枠４４との間に空隙Ｋが形成される。したがって、例えば隣接する他のパチンコ機やパチンコ機の間に設置されている玉貸機と開放された前面枠１４（皿部材３２）との間にも空隙Ｋに応じた距離的なゆとりが確保できる。従って、例えば前面枠１４を従来よりも大きな角度で開くことが可能となり、パチンコ機１０内部のメンテナンス等が一層容易となる。また、例えば空隙Ｋに見合っただけ上下の受け皿を張り出すことも可能となり、上下の受け皿の容積を増加することができる。
　【００３９】
　図１３に示すように、これらの迫出しヒンジ１７６ａ〜１７６ｄを介して本体枠４４に取り付けられている前面枠１４および皿部材３２の裏面側には、各種の部材が設置されている。なお、図１３にては前面枠１４と皿部材３２とを明瞭に区別するために、実際以上に両者を離隔させて表示している。
　【００４０】
　先ず前面枠１４について説明すると、上辺２０６に沿って大当りランプ２０への配線を保護するための保護板２０８が設置されている。また迫出しヒンジ１７６ａ、１７６ｂと対向する側辺に沿って、本体枠４４の第２側壁４４ｂに固着されたＬ部材（図示略）と係止して前面枠１４を閉鎖状態に維持するための前面枠係止機構２１０が配されている。この前面枠係止機構２１０は、所定の範囲で上下動可能な係止板２１２、係止板２１２を上方向に付勢するばね２１４および錠２４を介して回動操作され係止板２１２を下方へ押し下げ可能な押部材２１６を備えている。前面枠１４が閉じられた状態では係止板２１２とＬ部材とが相互に係止し、ばね２１４はこの状態を保持すべく係止板２１２を付勢しているが、錠２４を介して押部材２１６を回動させ、係止板２１２をばね２１４の付勢カに抗して押し下げると、係止板２１２とＬ部材との係止は解除され、前面枠１４を開放可能となる。
　【００４１】
　また、前面枠１４には迫出しヒンジ１７６ａ、１７６ｂとの間に配された一対の軸ピン２１８、２１８に軸支されて、ガラス枠１３が装着されている。
　図１４に示すように、ガラス枠１３は矩形でガラス１６ａ、１６ｂを保持する一対のガラス溝２２０ａ、２２０ｂを備える外周部材２２２と外周部材２２２の内部に配されて中央に略円形の空間を形成している装飾部１３ａとで構成されており、図示左側には軸ピン２１８、２１８と係合可能な穴を備えた係合部２２４ａ、２２４ｂを有する金属製の係合支持金具２２６が固着されている。また、係合支持金具２２６と対向する辺には、ガラス１６ａ、１６ｂをガラス溝２２０ａ、２２０ｂ内に保持すると共に、蝶番部２２８ａ、２２８ｂを軸として開閉しガラス１６ａ、１６ｂの挿入、取出しを可能とする金属製のガラス押え板２３０が装着されている。ガラス押え板２３０の中央付近には、鋼製の弾性板２３２が配されている。この弾性板２３２は矢印Ｇ方向に沿って弾性変形可能である。また、ガラス押え板２３０の上端とガラス枠１３の上辺１３ｂとの間にはガラス押え板２３０を上辺１３ｂ側（ガラス押え板２３０を閉じる方向）に付勢する弦巻ばね２３３が介装されており、この弦巻ばね２３３の付勢力でガラス押え板２３０は閉鎖状態に保持されている。
　【００４２】
　図１３に示すように、ガラス枠１３を前面枠１４に密接させた際には、弾性板２３２は押部材２１６の後端部２３４に当接している。このためガラス枠１３は、後端部２３４によって前面枠１４からの離脱を規制されている。一方、弾性板２３２をガラス枠１３の中心方向に向かって弾性変形させた際には、弾性板２３２は後端部２３４との当接状態から解放され、ガラス枠１３は軸ピン２１８、２１８を軸として揺動可能となる。したがって、弾性板２３２を操作することによってガラス枠１３を前面枠１４に密接する状態から離脱させることができる。なお、弾性板２３２は、後端部２３４からの押圧力によって、上記弦巻ばね２３３と共にガラス押え板２３０を閉鎖状態に保持する機能も有しており、上記のようにしてガラス枠１３を前面枠１４から離脱させた時には、弦巻ばね２３３の付勢力に抗してガラス押え板２３０を開放可能である。
　【００４３】
　次に、皿部材３２の裏面側について説明すると、皿部材３２の裏面はプラスチック製の裏板２３６で覆われており、裏板２３６を貫通して上受け皿２８の上皿排出口３４に通ずる通路２３８が開口している。この通路２３８の下方に配された略平行四辺形の部材は、下皿導入口８２からの遊技球を下受け皿３０の下皿排出口３６へと導くためのバイパス部材２４０であり、上辺部に遊技球口２４２が設けられている。またバイパス部材２４０下部の凸状部２４４に対応して、裏板２３６には下受け皿３０に通ずる開口が設けられている。さらに、バイパス部材２４０の凸状部２４４の斜め上方には、発射装置１１２から発射されて遊技領域１８に到達できなかった遊技球が回収されるファール球誘導路１７４からの遊技球を受け入れるためのファール球受口２４６が設けられている。
　【００４４】
　バイパス部材２４０の図示左側は裏板２３６が一部削除されており、この内部には、上受け皿２８から供給される遊技球を１球ずつ発射レール１７１内に供給する発射球供給装置２４８が設置されている。また裏板２３６には、発射球供給装置２４８の下方に、発射ハンドル４０と発射装置１１２とを接続するリード線（図示略）の通路としてのリード線穴２５０が設けられている。
　【００４５】
　さらに、皿部材３２の迫出しヒンジ１７６ｃ、１７６ｄと対向する辺に沿って、本体枠４４に設置された下係止部材（図示略）と係止可能な係止部２５２ａ、２５２ｂを有する鋼製の係止金具２５２が取り付けられている。したがって、本体枠４４の下係止部材と係止部２５２ａ、２５２ｂとの係止を解除すれば皿部材３２を迫出しヒンジ１７６ｃ、１７６ｄを軸として開放できる。また開放した皿部材３２を本体枠４４に押し付けるように閉じれば、係止部２５２ａ、２５２ｂを本体枠４４の係止部材と係止させることができ皿部材３２と本体枠４４とを接合状態に保持できる。
　【００４６】
　以上の構成になるパチンコ機１０を使用して遊技時における裏盤４８の静電気の帯電量を測定したところ、従来の遊技機の遊技時における裏パックの静電気の帯電量（約１０ＫＶＡ）の約１／４であった。
　上述のように、本実施例のパチンコ機１０は、裏盤４８のほぼ全体を導電性プラスチック製としているので、裏盤４８に発生した静電気は裏盤４８のほぼ全表面から速やかに空気中に放出される。このため裏盤４８の帯電量はきわめて低いものとなり、静電気が主制御基盤１２６等に悪影響を及ぼすことは防止される。また特別な放電手段を装着する必要もなくなる。
　【００４７】
　さらに、裏盤４８の一部に設けられた配線ピット１０６は少なくとも３面が導電性であるから、この配線ピット１０６内に収容される電気配線は電磁的にシールドされることになる。したがって、これらの電気配線へのパチンコ機１０内外からの電磁波の侵入は防止される。このため、例えば電気配線を介して侵入したノイズによって主制御基盤１２６が誤作動する等の事故は防止できると共に電波発信機等を使用する不正行為に対する防御性能が向上する。
　【００４８】
　【発明の効果】
　以上説明したように、請求項１記載の遊技機では、前面枠側に含まれている上隅被覆部が遊技盤の遊技領域外の上隅を覆うので、遊技領域外になる遊技盤の上隅部分は遊技者には見えなくなる。従って、この上隅部分にランプ類や装飾部品を装着する必要はなくなり、遊技盤に取り付けられる部品点数を削減できる。
　【００４９】
　しかも、この遊技機は上隅被覆部をはじめから備えており、そのため、上隅被覆部は、製造時に遊技機の外観との調和を取ることができるから、たとえば遊技店に設置後に後付けする場合と比べて装飾効果は高く、取り付けのための特別な手間はいらない。
【図面の簡単な説明】
　【図１】　実施例のパチンコ機の正面図である。
　【図２】　実施例のパチンコ機の背面図である。
　【図３】　実施例のパチンコ機の裏盤および裏盤に装着される部品の分解斜視図である。
　【図４】　実施例のパチンコ機の裏盤および裏盤に装着される部品の一部分解斜視図である。
　【図５】　実施例のパチンコ機の下受け皿付近における横断面図である。
　【図６】　実施例のパチンコ機の上受け皿付近における横断面図である。
　【図７】　実施例のパチンコ機の連結ピンの拡大図であり、図７（ａ）は軸部を引き出した状態の平面図、図７（ｂ）は軸部を押し込んだ状態の平面図である。
　【図８】　実施例のパチンコ機において前面枠および皿部材を撤去した状態の正面図である。
　【図９】　実施例のパチンコ機の係止機構付近の拡大断面図である。
　【図１０】　実施例のパチンコ機の圧締機構の説明図であり、図１０（ａ）、（ｂ）は一部縦断面図、図１０（ｃ）は圧締状態の正面図、図１０（ｄ）は解除状態の正面図である。
実施例のパチンコ機の迫出しヒンジ付近の斜視図である。
　【図１１】　実施例のパチンコ機の迫出しヒンジの平面図である。
　【図１２】　実施例のパチンコ機の迫出しヒンジを開いた状態の平面図である。
　【図１３】　実施例のパチンコ機の前面枠および皿部材の背面図である。
　【図１４】　実施例のパチンコ機のガラス枠の斜視図である。
　【符号の説明】
１０・・・パチンコ機、１２・・・遊技盤、１３・・・ガラス枠、
１３ａ・・・装飾部（上隅被覆部、下隅被覆部）、
１４・・・前面枠、１６ａ・・・ガラス（ガラス板）、１８・・・遊技領域、
２８・・・上受け皿、３０・・・下受け皿、３２・・・皿部材、
４４・・・本体枠、４８・・・裏盤、１０６・・・配線ピット。